(57)【特許請求の範囲】
【請求項１】
画像表示部の面積より１．２倍以上の面積を有する透明面材、および、画像表示部が透明充填材を介して前記透明面材に接着している表示装置を有し、
前記表示装置は、一面が開口された箱型形状で、開口面に対向する面の面積が開口面の面積より小さい筺体を有し、
前記筐体は、上面が傾斜を有し、かつ、前記上面の断面形状が直線又は曲線であり、
前記傾斜の角度は、透明面材の垂直方向を基準にして下方向へ１５°〜４５°である表示装置付き透明面材。
【請求項２】
画像表示部の面積より１．２倍以上の面積を有する透明面材、透明面材に透明充填材を介して接着し、周辺に遮光部を有する第２の透明面材、および、画像表示部が透明充填材を介して前記第２の透明面材に接着している表示装置を有し、
前記表示装置は、一面が開口された箱型形状で、開口面に対向する面の面積が開口面の面積より小さい筺体を有し、
前記筐体は、上面が傾斜を有し、かつ、前記上面の断面形状が直線又は曲線であり、
前記傾斜の角度は、透明面材の垂直方向を基準にして下方向へ１５°〜４５°である表示装置付き透明面材。
【請求項３】
前記筺体の上面以外の面が傾斜を有する請求項１又は２に記載の表示装置付き透明面材。
【請求項４】
前記透明充填材は、２５℃、１Ｈｚにおけるせん断弾性率が１０2Ｐａ〜１０6Ｐａである請求項１〜３のいずれか１項に記載の表示装置付き透明面材。
【請求項５】
前記筐体は、支持部材とともに前記透明充填材を介して前記透明面材に固定される請求項１〜４のいずれか１項に記載の表示装置付き透明面材。
【請求項６】
前記表示装置が液晶表示装置である請求項１〜５のいずれか１項に記載の表示装置付き透明面材。
【発明の詳細な説明】
【技術分野】
【０００１】
本発明は表示装置付き透明面材に関する。
【背景技術】
【０００２】
例えば窓に液晶ディスプレイ等の表示装置が取り付けられた表示装置付き窓ガラスが知られている（例えば、特許文献１参照）。
【先行技術文献】
【特許文献】
【０００３】
【特許文献１】特開２００６−１３２２０６号公報
【発明の概要】
【発明が解決しようとする課題】
【０００４】
ガラス板に表示装置を取り付けている構成においては、表示装置の非表示面には、表示装置の配線、基板およびバックライト等を覆う筺体を設ける場合がある。この場合、人が筺体を掴む、ぶら下がる、または何らか突起物が筺体に引っ掛かることにより、筺体または表示装置がガラス板から外れる恐れがある。
【０００５】
本発明は上記に鑑みてなされたものであって、ガラス板に取り付けられた表示装置および筺体が、外部の力によって容易には取り外されない、表示装置付き透明面材の提供を目的とする。
【課題を解決するための手段】
【０００６】
本発明の表示装置付き透明面材の一態様は、画像表示部の面積より１．２倍以上の面積を有する透明面材、および、画像表示部が透明充填材を介して前記透明面材に接着している表示装置を有し、前記表示装置は、一面が開口された箱型形状で、開口面に対向する面の面積が開口面の面積より小さい筺体を有し、前記筐体は、上面が傾斜を有し、かつ、前記上面の断面形状が直線又は曲線であり、前記傾斜の角度は、透明面材の垂直方向を基準にして下方向へ１５°〜４５°である。
【０００７】
本発明の表示装置付き透明面材の別の態様は、画像表示部の面積より１．２倍以上の面積を有する透明面材、透明面材に透明充填材を介して接着し、周辺に遮光部を有する第２の透明面材、および、画像表示部が透明充填材を介して前記第２の透明面材に接着している表示装置を有し、前記表示装置は、一面が開口された箱型形状で、開口面に対向する面の面積が開口面の面積より小さい筺体を有し、前記筐体は、上面が傾斜を有し、かつ、前記上面の断面形状が直線又は曲線であり、前記傾斜の角度は、透明面材の垂直方向を基準にして下方向へ１５°〜４５°である。
【発明の効果】
【０００８】
本発明の表示装置付き透明面材によれば、人が筺体を掴む、ぶら下がる、または何らか突起物が筺体に引っ掛かる等が起こりにくいため、透明面材に固定されている筺体および表示装置が外力により透明面材から外れることを防止できる。
【図面の簡単な説明】
【０００９】
【図１】実施形態における表示装置付き透明面材の平面図である。
【図２】図１のＡ−Ａ断面概略図である。
【図３】筺体の上面４１の拡大図である。
【図４】実施形態における表示装置付き透明面材の平面図である。
【図５】図４のＡ−Ａ断面概略図である。
【発明を実施するための形態】
【００１０】
以下、図面を参照して発明を実施するための形態について説明する。各図面において、同一構成部分には同一符号を付し、重複した説明を省略する場合がある。
図１は、実施形態における表示装置付き透明面材１００を例示する図であり、透明面材側から見た平面図である。また、図２は、図１のＡ−Ａ断面概略図である。
【００１１】
本実施形態の表示装置付き透明面材１００は、図１および図２に示すように、透明面材１０、表示装置３０を有する。表示装置３０と透明面材１０とは、表示装置３０の画像表示部である液晶パネル３１が透明充填材１２を介して接着している。また、本実施形態においては、透明面材１０の面積は表示装置３０の画像表示部の面積の１．２倍以上である。そして、表示装置３０は、一面が開口された箱型形状で、開口面に対向する面（以下、対向面という。）の面積が開口面の面積より小さい筺体４０を有する。
なお、本明細書において、以下では、透明面材１０の表示装置３０側の面を背面、透明面材１０の表示装置３０とは反対側の面を前面として説明する。また、Ｘ方向は、表示装置付き透明面材１００の短手方向、Ｙ方向は長手方向または上向き、Ｚ方向は厚さ方向または透明面材の垂直方向である。
【００１２】
（透明面材）
透明面材１０は、例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。
また、透明面材１０は、複数のガラス板が貼り合わされた合わせガラスであってもよい。
【００１３】
透明面材１０が無機ガラスである場合には、例えば化学強化処理又は物理強化処理等の表面強化処理が施されていてもよい。強化処理が施されたガラス板であれば、ガラス板を薄くしてもガラスの割れを防止できる。
【００１４】
透明面材１０の前面には、機能膜を設けてもよい。機能膜としては、反射防止膜や紫外線吸収膜が挙げられる。反射防止膜を設ければ、外光の反射を防止できて、画像表示部３１の表示像を鮮明に視認できる。紫外線吸収膜を設ければ、外光により画像表示部３１の紫外線による劣化を低減できる。
反射防止膜および紫外線吸収膜を設ける方法は、例えば、反射防止膜または紫外線吸収膜を有するフィルムを透明面材１０に貼合する方法や、スパッタリング法、蒸着法、または湿式コーティング法により、透明面材１０の前面に反射防止膜または紫外線吸収膜を成膜する方法等が挙げられる。
【００１５】
その他の機能膜としては、防汚・撥水・撥油機能膜が挙げられる。このような機能膜を設けると、透明面材１０の防汚性能および易清浄性を付与できるため好ましい。
【００１６】
透明面材１０には遮光部２を設けてもよい。遮光部２は透明面材１０の背面に着色層が形成されている不透明な部分である。遮光部２を設けることにより、透明面材の前面側から背面側を見えないように遮蔽できる。また、透明面材１０の前面から表示装置３０の外周縁が見えなくなることで、画像表示部３１に表示される画像が、透明面材１０の前面側に浮き上がって見えるような効果が得られる。
【００１７】
遮光部２は、透明面材１０上の所定の領域に形成される。例えばセラミック顔料を含む塗料を用いたスクリーン印刷、インクジェット印刷又は不透明なフィルム等が貼合されることで形成される。遮光部２を設ける領域は、表示装置３０の画像表示部３１を除く全面でもよく、表示装置３０の周縁部分のみでもよい。また、遮光部２の形状は矩形の枠状に限られず、任意の形状を採用できる。
【００１８】
本実施形態における透明面材１０は矩形であるが、矩形以外の任意の形状であってもよい。また、本実施形態における透明面材１０は全面にわたり平坦であるが、全部または一部が湾曲してもよい。
【００１９】
（表示装置）
表示装置３０は、液晶パネル３１と筺体４０を有する。表示装置は、例えば、液晶ディスプレイ装置、有機ＥＬディスプレイ装置、プラズマディスプレイ装置等が挙げられる。例示した中でも、大画面化および透明面材へ接着して鮮明な画像を表示しやすい点から、表示装置３０は液晶ディスプレイ装置が好ましい。
【００２０】
本実施形態では、表示装置３０として液晶ディスプレイ装置を用いている。したがって、表示装置３０は、画像表示部３１としての液晶パネル３１とバックライト３２とを有する。液晶パネル３１は、透明充填材１２を介して透明面材１０の背面に接着されている。バックライト３２は、液晶パネル３１の背面側に設けられ、筺体４０に固定されている。
本実施形態において、表示装置３０は、例えば不図示の記憶装置に記憶されている画像や、ネットワークを介して接続するコンピュータやサーバ等から送信される画像を表示する。
【００２１】
（筺体）
筺体４０は、一面が開口された箱形形状であり、開口面に対向する面（対向面）の面積が開口面の面積よりも小さい。本発明の表示装置付き透明面材１００は、筺体４０の形状が上記したものであるため、人が筺体４０を掴む、ぶら下がる、または何らか突起物が筺体４０に引っ掛かることを防止できる。その結果、様々な方向から外力が掛かることを防止できて、透明面材１０に固定されている筺体４０が容易に外れなくなる。
【００２２】
筺体４０は、上面４１が傾斜を有することが好ましい。上面４１が傾斜を有していれば、重力方向へ外部から力をかけにくくなり、筺体４０が透明面材１０から外れることを顕著に防止できる。
【００２３】
筺体４０の上面４１の傾斜の形状は限定されない。筺体４０の上面４１の断面形状の具体例を図３に示す。図３は筺体４０の上面４１の拡大図であり、上面４１が直線（ａ）、曲線（ｂまたはｃ）、または平面と傾斜を組合せた形状（ｄまたはｅ）であることを示す。人の指の引っかかりを防ぐ観点から、上面４１の断面形状は直線および曲線が好ましい。
【００２４】
筺体４０の前記傾斜は、透明面材１０の垂直方向（Ｚ方向）を基準にして下方向（Ｙ方向の逆）へ１５°〜４５°であることが好ましい。前記角度は、筺体４０の傾斜の始点を基準に算出する。例えば、図３の（ａ）、（ｂ）、（ｃ）または（ｅ）のように、筺体４０が透明面材１０との接合点から傾斜が付いている場合には、当該接合点を始点とする。一方で、図３の（ｄ）のように、筺体４０と透明面材１０の接合点から所定の長さだけ平坦であり、所定の長さ以降に傾斜を有する場合には、傾斜が始まる点（例えば、図３ｄの点ｄ１）を始点とする。傾斜の角度が前記範囲にあれば、筺体４０の上に物（例えば、飲料水の缶等）を置いても、固定されず落下できる効果を奏する。筺体４０の上面４１の傾斜の前記角度は、２０〜４０°が好ましく、３０〜３５°がより好ましい。
【００２５】
筺体４０は、上面４１以外のその他の面も傾斜を有することが好ましい。上面４１以外のその他の面の傾斜の角度は上面４１の場合と同様である。その他の面の角度はいずれも透明面材１０の垂直方向を基準にして、筺体４０の左面であれば右方向、筺体４０の右面であれば左方向、筺体４０の下面であれば上方向に対して測定した値である。
【００２６】
筺体４０は開口面が透明面材１０に固定されている。筺体４０を透明面材１０に固定する方法は限定されない。本実施形態では、筺体４０は、支持部材３３にネジ等により固定され、支持部材３３とともに透明充填剤１２を介して透明面材１０に固定されている。また、表示装置３０のバックライト３２と、筺体４０との間に、不図示の基板や配線等が収納される。
【００２７】
筺体４０の厚さは、３０〜１００ｍｍが好ましい。筺体４０の厚さが、前記下限以上であれば、表示装置３０と表示装置の配線などを十分収納できる。筺体４０の厚さが前記上限以下であれば、表示装置付き透明面材のデザイン性が向上する。また、筺体４０の厚さが上限以下であれば、筺体４０の各面の前記傾斜が１５°未満の緩やかな場合であっても、人が筺体４０を掴む、ぶら下がる、または何らか突起物が筺体４０に引っ掛かること等が起こりにくくなる。その結果、筺体４０が透明面材１０から容易に外れることを防止しやすくできる。筺体４０の厚さは、４０〜８０ｍｍがより好ましく、５０〜６０ｍｍがさらに好ましい。
【００２８】
筺体４０には、図示しない通気孔が形成されていることが好ましい。表示装置３０を作動させて、画像を表示すると、画像表示部３１（表示パネル３１）又はバックライト３２が発熱する場合がある。筺体４０に通気孔を設けること、外部に熱を排出できて、筺体４０内部の温度上昇を抑制できるため好ましい。なお、通気孔は筺体４０の開口部に該当しない。
【００２９】
筺体４０の内部には、図示しないファンを設けていることが好ましい。ファンを設けることで、表示装置３０により加熱された空気を筺体４０の外部へ排出できる。その結果、筺体４０の内部の温度上昇を抑制できる。なお、ファンの設置数および設置位置は限定されない。
【００３０】
筺体４０の材料は、表示装置付き透明面材を設置する場所等に応じて、様々使用できる。筺体４０の材料は、アルミニウム、アルミニウム合金等の熱伝導率の高い材料で形成されることが好ましい。これらの材料で筺体４０を形成されることにより、筺体４０の内部の熱を外部に放出し易くなる。その結果、筺体４０の内部の温度上昇がより抑制される。
【００３１】
（透明充填材）
本発明においては、透明面材１０と表示装置３０との間には、透明充填材１２が充填されている。透明面材１０と表示装置３０との間に透明充填材１２を充填することにより、表示装置３０の表示画像が透明面材１０の背面で反射されず、表示画像の視認性が向上する。
【００３２】
透明充填材１２は、例えばアクリル系、ウレタン系、シリコン系等の樹脂の硬化物である。透明充填材１２は、例えば屈折率が、透明面材１０の屈折率に対して０．８倍〜１．３倍であることが好ましく、０．９３倍〜１．１２倍であることがより好ましい。
【００３３】
透明充填材１２は、硬化性樹脂組成物の硬化物であることが好ましい。硬化性樹脂組成物を透明面材１０と表示装置３０の間に充填する方法としては、透明面材１０の背面に未硬化の硬化性樹脂組成物を塗布して表示装置３０を配置した後、硬化性樹脂組成物を硬化させる方法が挙げられる。また、硬化性樹脂組成物を硬化して両面粘着シートを予め作製し、これを透明面材１０または表示装置３０の一方に貼合し、さらに他方へ貼合することで、硬化性樹脂組成物の硬化物を透明面材１０と表示装置３０の間に充填する方法が挙げられる。
【００３４】
透明充填材１２は、２５℃で１Ｈｚにおけるせん断弾性率が、１０2Ｐａ〜１０6Ｐａであることが好ましい。せん断弾性率が前記範囲にあれば、表示装置３０を透明面材１０に固定し、その後に位置ずれすることを防止できる。せん断弾性率は、１０3Ｐａ〜１０5Ｐａであることがより好ましい。
【００３５】
透明充填材１２の厚さは、０．０３ｍｍ〜２ｍｍが好ましい。前記厚さが、０．０３ｍｍ以上であれば、透明面材１０の前面から外力等が加わった際に、透明充填材１２が外力による衝撃を十分に低減し、表示装置３０を保護できて、画像表示部３１の破壊を防止できる。さらに、画像表示部３１と透明面材１０との間に、透明充填材１２の厚さ未満の寸法の異物が混入しても、透明充填材１２の厚さが変化しないため、異物混入による視認性への影響が抑制される。また、前記厚さが２ｍｍ以下であれば、表示装置３０の表示画像の視認性の低下を抑制できる。透明充填材１２の厚さは、０．１ｍｍ〜０．８ｍｍがより好ましい。
【００３６】
（第２の透明面材）
本発明の表示装置付き透明面材には、表示装置３０と透明面材１０との間に第２の透明面材５０を設けることが好ましい。図４は第２の透明面材５０を有する表示装置付き透明面材を示す平面図であり、図５は図４のＡ−Ａ断面概略図である。
【００３７】
第２の透明面材５０は、例えば、表示装置の周縁に遮光部２を設ける際等に好適に使用される。上記のとおり、遮光部２は透明面材１０に直接設けることができるが、第２の透明面材５０に遮光部２を設けることで、透明面材１０へ処理する手間が省くことができる。
【００３８】
第２の透明面材５０は、透明面材１０と同様に例えばソーダライムガラス、アルミノシリケートガラス、アルミノボロシリケートガラス、無アルカリガラス等の無機ガラス、もしくはポリカーボネート樹脂、アクリル樹脂等からなる有機ガラス等である。
【００３９】
第２の透明面材５０は、透明面材１０および表示装置３０の両方と上記した透明充填材１２を介して接着されることが好ましい。
【００４０】
以上、本発明に係る表示装置付き透明面材について説明したが、本発明は上記実施形態に限定されるものではなく、本発明の範囲内で種々の変形及び改良が可能である。
【産業上の利用可能性】
【００４１】
本発明の表示装置付き透明面材は、透明面材を窓ガラス、パーティション又は壁として用いて、デジタルサイネージとして利用できる。
【符号の説明】
【００４２】
２      遮光部
１０    透明面材
１００  画像表示付き透明面材
１２    透明充填材
３０    表示装置
３１    画像表示部
３２    バックライト
３３    支持部材
４０    筺体
４１    上面
５０    第２の透明面材
【図１】
0006477144.tif 000002
【図２】
0006477144.tif 000003
【図３】
0006477144.tif 000004
【図４】
0006477144.tif 000005
【図５】
0006477144.tif 000006